(57)【特許請求の範囲】
【請求項１】
先端部分にノズルを備えるボディと、容器本体内に大気を導入する開孔を有しその内部に液体の逆流防止用の逆止弁を備えるインティクと、このインティクをボディに連結したまま容器本体の口部に固定保持するねじ止めキャップからなり、
トリガの牽曳とその解除にてピストンを往復動させ、容器本体内の液体をピストンシリンダ内に吸引するとともに加圧してインティク及びボディを通してノズルの先端から液体を連続的に噴出させるトリガ式の液体噴出器であって、
前記インティクに、少なくともその先端部分をボディに接触させ、ボディとの合わせ面における液密状態を保持して該開孔から不可避的に流出する液体の漏洩を防止する弾性変形可能なシール部材を配置し、
前記シール部材の先端部分が接触する前記ボディの壁面に、その壁面と一体になる凸部を設けた、ことを特徴とするトリガ式液体噴出器。
【請求項２】
シール部材がインティクと一体的に成形され、大気を導入する開孔の周りを取り囲む壁部よりなる、請求項１記載のトリガ式液体噴出器。
【発明の詳細な説明】
【０００１】
【発明の属する技術分野】
本発明は、トリガ式の液体噴出器に関し、その噴出器を構成するボディとインティクとの間からの、液体の漏洩を確実に防止しようとするものである。
【０００２】
【従来の技術】
トリガ式の液体噴出器は、黴びとり剤や洗剤等を充てんする容器に多用されており、その構成は、一般に、図８に示すように、先端部分にノズル２０を取り付けたボディ部分２１と、このボディ部分２１に組み合わさりその内部に液体の逆流防止用の逆止弁を備えたインティク２２と、このインティク２２をボディ部分２１とともに容器の口部２３に固定保持するねじ止め式のキャップ２４からなっている。
【０００３】
かかる噴出器によれば、そのボディ部分２１に取り付けられたトリガ２５の牽曳を繰り返すことにより、これにつながるピストン２６が作動し、ピストンシリンダ２７内で液体の吸引と加圧が交互に効率よく実行され、インティク２２及びボディ部分２１を通してノズル２０から容器本体内の液体を連続的に噴射させることができる。
【０００４】
ここに、従来のトリガ式噴出器は、インティク２２については容器本体の口部とこの口部２３にねじ止めされるキャップ２４にてシール部材２８を介して挟持されるため確実な固定がなされる一方、ボディ２１とインティク２２との連結はインティク２２の先端部分をボディ部分２１に設けられた凹部に適合させ、その両者をアンダーカットによって抜け止め保持されているところ、インティク２２の突端部分には容器本体内に大気を導入して容器の減圧変形を防止する開孔２９が設けられており、容器本体内の液体が該開孔２９から流出した場合に、ボディ部分２１とインティク２２の合わせ面を伝わって外部に漏洩することも懸念され、シール性能のより一層の改善が求められる。
【０００５】
【発明が解決しようとする課題】
本発明の課題は、構造の複雑化を伴ったり、構成部材の部品点数を増加させることなしにシール性能の改善を図ることができる新規なトリガ式液体噴出器を提案するところにある。
【０００６】
【課題を解決するための手段】
本発明は、先端部分にノズルを装着するボディと、このボディに組み合わさりその内部に液体の逆流防止用の逆止弁を備えるインティクと、このインティクをボディとともに容器本体の口部に固定保持するねじ止めキャップからなり、
トリガの牽曳とその解除にてピストンを往復動させて、容器本体内の液体をピストンシリンダ内に吸引するとともに加圧してインティク及びボディを通してノズルの先端から液体を連続的に噴出させるトリガ式の液体噴出器であって、
前記インティクに、少なくともその先端部分をボディに接触させ、該ボディとの合わせ面における液密状態を保持して該開孔から不可避的に流出する液体の漏洩を防止する弾性変形可能なシール部材を配置し、
前記シール部材の先端部分が接触する前記ボディの壁面に、その壁面と一体になる凸部を設けた、ことを特徴とするトリガ式液体噴出器である。
【０００７】
上記の構成になる噴出器において、シール部材はインティクと一体的に成形され、大気を導入する開孔の周りを取り囲む壁部とするのが望ましい。
【０００９】
【発明の実施の形態】
インティクに設けられた開孔の近傍域に、該インティクから直接立ち上がってボディの内側で接触するシール部材を設けて、このシール部材にてインティクとボディとの間をシールする。
【００１０】
【実施例】
以下、図面を参照して本発明をより具体的に説明する。
図１はトリガ式液体噴出器であり、図において１はボディ、２はボディ１の先端部分に装着されたノズル、３はインティクであり、このインテイク３はベース部分３ａと、このベース部分３ａに一体成形され、ボディ１に内挿されるチューブ３ｂと、同じくベース部分３ａ一体成形され、ボディ１の内側に接触して液密状態に保持するシール部材３ｃとを備え、ベース部分３ａの突端部分にはトリガの牽曳をより有利に導くための大気導入用の開孔３ｄが設けられている。
【００１１】
また、４は容器本体の口部５に固定保持されるねじ止めキャップ、６はインティク３と口部５の相互間に配置されるシール部材、そして８はインティク３につながり容器本体内の液体を吸引するための吸引パイプである。
【００１２】
ボディ１はその内部に容器本体内の液体をノズル２に送給するための通路１ａを有しており、ここには、さらに、液体の吸引と加圧を交互に行うためのピストン１ｂと、このピストン１ｂを摺動可能に内装してその相互間で空間ｒを形成するピストンシリンダ１ｃと、該ピストン１ｂの押圧を司るトリガ１ｄがそれぞれ設けられている。
【００１３】
インティク３のベース部分３ａは図２に示すようなボディ１の環状空間１ｅに嵌合するとともに、その状態を拡大して図３に示すように、該ベース部分３ａの内外面に設けられた凸部３ｅ、３ｆが、ボディ１の環状空間１ｅを形成する壁面の凹部１ｆ、１ｇに適合する、いわゆるアンダーカットによる係合にてインティク３とボディ１とが連結されるようになっている。
【００１４】
インティク３のシール部材３ｃについては、この例では、ベース部分３ａの上端から直接立ち上がって開孔３ｄを取り囲む壁部として示してあり、その先端部分がボディ１に接触しインティク３との合わせ面を液密状態に保持して開孔３ｄから不可避的に流出する液体の漏洩を防止する。
【００１５】
インティク３はボティ１との連結状態を保持したままで、キャップ４にて容器本体の口部５に固定保持され、該キャップ４はボディ１とインティク３の連結領域を取り囲むガイド壁４ａにてボディ１の傾きを防止する。
【００１６】
図４〜図６にトリガ式液体噴出器のインティク３の側面、平面及び外観斜視図をそれぞれ示し、図７に従来形式になる噴出器に用いられているインティクの外観斜視図を示す。
【００１７】
図７に示したようなインティクを組み込んだ図８に示す如き構造になる噴出器においては、例えば液体を充てんする容器本体を横向きにして噴出させるような場合を想定すると、液体が大気を流入させる開孔２９から流出し、流出した液体はボディ部分２１とインティク２２の間から漏洩するケースが発生する場合があるが、上掲図１〜6示したトリガ式液体噴出器においては、液体を噴出させる際に、たとえ開孔３ｄから液体が流出するようなことがあってもシール部材３ｃによって確実にシールされることになる。
【００１８】
上掲図１に示した構成になるトリガ式液体噴出器によって液体を噴出させるには以下の要領に従う。
【００１９】
まず、トリガ１ｄを矢印に従い牽曳し、ピストン１ｂは押圧されピストンシリンダ１ｃの末端に当接させる。このとき、ピストンシリンダ１ｃの側壁に設けられた開孔ｈ及びこの開孔ｈにつながる開孔３ｄを通して容器本体内に大気が導入される。
【００２０】
この状態でトリガ１ｄの牽曳を解除すると、ピストン１ｂはそれに内装するスプリングｓの弾性力にて初期位置に復帰することとなり、その際、空間ｒは負圧になることから、容器本体内の液体は吸引パイプ８及びポートＰを経て空間ｒに流入する。
【００２１】
この状態に引き続き、さらにトリガ１ｄを牽曳してピストン１ｂを押圧すると、空間ｒに流入した液体は加圧されてポートＰから排出される。この時、インティク３の通路は逆止弁ｖによって閉塞状態に保持され、加圧された液体は第２ポートＰ１及びボディ１の通路１ａを通り、ノズル２の先端から外界へ向けて噴射されることとなり、この一連の動作を複数回繰り返すことによって連続的な噴射が可能となる。
【００２２】
本発明に従う射出器は、インティク３のシール部材３ｃは薄肉化等によって弾性変形可能なものにて構成し、その先端部分が常にボディ１の内壁面に向かって接触するようにしておくとともに、より有利なシールを導くために、シール部材３ｃが接触するボディ１の壁面にその壁面と一体になる図９に示すような凸部１ｈを設ける。
【００２３】
本発明に従うトリガ式液体噴出器は合成樹脂にて構成することができるものであり、各構成部材の製造にはインジェクション成形法が適用される。
【００２４】
【発明の効果】
本発明によれば、構造の複雑化や部品点数の増加を招くことなしに、とくにインティクとボディとの相互間におけるシール性能のより一層の強化を図ることができる。
【図面の簡単な説明】
【図１】  トリガ式液体噴出器の構成説明図である。
【図２】  ボディの環状空間を示した図である。
【図３】  ボディとインティクの連結部分を拡大して示した図である。
【図４】  インティクの側面を示した図である。
【図５】  インティクの平面を示した図である。
【図６】  インティクの外観斜視図である。
【図７】  従来の噴出器に用いられているインティクの外観斜視図である。
【図８】  従来形式のトリガ式液体噴出器の構成を示した図である。
【図９】  ボディとインティクの連結部分を拡大して示した図である。
【符号の説明】
１  ボディ
１ａ  通路
１ｂ  ピストン
１ｃ  ピストンシリンダ
１ｄ  トリガ
１ｅ  環状空間
１ｆ  凹部
１ｇ  凹部
１ｈ  凸部
２  ノズル
３  インティク
３ａ  ベース部分
３ｂ  ロート部分
３ｃ  シール部材
３ｄ  開孔
３ｅ  凸部
３ｆ  凸部
４  ねじ止めキャップ
４ａ  ガイド壁
５  口部
６  シール部材
８  吸引パイプ
９  ボディ
10  インティク
11  ねじ止めキャップ
２０  ノズル
２１  ボティ部分
２２  インティク
２３  口部
２４  キャップ
２５  トリガ
２６  ピストン
２７  ピストンシリンダ
２８  シール部材
２９  開孔
ｈ  開孔
ｒ  空間
ｖ  逆止弁
Ｐ  ポート
Ｐ１  第２ポート
【図１】
0003937125.tif 000002
【図２】
0003937125.tif 000003
【図３】
0003937125.tif 000004
【図４】
0003937125.tif 000005
【図５】
0003937125.tif 000006
【図６】
0003937125.tif 000007
【図７】
0003937125.tif 000008
【図８】
0003937125.tif 000009
【図９】
0003937125.tif 000010